(57)【要約】【課題】本発明は睡眠中に装着させても、足に負担を殆ど掛けずに血液やリンパの流れを活性化させ、一日の疲れを癒し、快適な朝を迎えられると共に健康状態が整えられるふくらはぎ用発熱性サポーター提供することを目的とする。【解決手段】両端が開口する筒体に形成したサポーター本体１の一端部11の直径を、ふくらはぎ上部が適宜に締付けられる程度の大きさとすると共に、他端部12の直径を、ふくらはぎ下部が適宜に締付けられる程度の大きさとし、且つ、サポーター本体１が吸湿発熱性化学繊維の布地によって縫製されたものと成す。またサポーター本体１の長手方向に沿って一定幅の布をかがり縫いして一体に縫製したものとしても良い。【選択図】図１
2014051751.tif 000002
【特許請求の範囲】
【請求項１】
両端が開口する筒体に形成したサポーター本体（１）の一端部（11）の直径を、ふくらはぎ上部が適宜に締付けられる程度の大きさとすると共に、他端部（12）の直径を、ふくらはぎ下部が適宜に締付けられる程度の大きさとし、且つ、前記サポーター本体（１）が吸湿発熱性化学繊維の布地によって縫製されたことを特徴とするふくらはぎ用発熱性サポーター。
【請求項２】
前記サポーター本体（１）の長手方向に沿って一定幅の布（２）をかがり縫いして一体に縫製した請求項１のふくらはぎ用発熱性サポーター。
【発明の詳細な説明】
【技術分野】
【０００１】
本発明は睡眠中に装着させて、心地良い温かさでふくらはぎを温めると共に小さな負荷を掛け、サポーターの圧迫が筋肉量をアップさせ、且つ、脂肪の燃焼が促進されるふくらはぎ用発熱性サポーターに関する。
【背景技術】
【０００２】
一般にサポーターは、長年の酷使や不慮の事故などにより、弱った筋肉や関節の痛みを生じた時、或いは歩行時の筋肉痛や膝又はふくらはぎの痛み等を生じた時などに用いられる。サポーターを装着すると、その締付けによって、ある程度痛みを軽減して緩和させると共に、歩行時の筋肉痛や膝又はふくらはぎの痛み等を軽減或いは緩和し、快適な歩きを実現することが可能となる。又、サポーターを装着すると、運動能力が低下されることなく、関節痛や肉離れなどを予防できることが可能になる場合もあった。
【０００３】
しかしながら、運動用のふくらはぎ用サポーターを装着させると、締付け具合が強過ぎて苦痛を伴う場合があった。また夏場にサポーターを長時間装着していると、装着部が蒸れて汗ばんで不快になり易いものであった。
【０００４】
このため、特開平９−５６７４４号のひざ用サポーターに於いて、ふくらはぎ部分と大腿部分がそれぞれ丁度良い締付具合で装着できるようにすると共に、季節を問わずに使用出来るようしたサポーターが提案されている。この構造は、表糸と裏糸との間にゴム糸が全体にわたって挿入され、大径上端部と小径下端部を具備し、適度に締付ける程度の大きさとしたテーパー状のものである。これはひじやひざの冷えを防いたり保護したりするサポーターの提案である。
【０００５】
しかしながら、特開平９−５６７４４号のひざ用サポーターは、本願のように直接温めながら小さな負荷も同時に掛けることはできないものであった。
【０００６】
尚、最近、手と脚の付根に専用のベルトを締め、適正な圧力を加えて血流量を制限してトレーニングを行う「加圧トレーニング」が話題になっている。これは、低負荷（最大筋力の２０〜３０％）で短時間（３０分程度）でも短期間にダイエットと瘠身効果が得られるというものである。この原理は、ウエイトトレーニングでは筋肉（筋繊維）に負荷をかけて損傷させ、時間を置き回復させる事が効果を出す主なポイントであるのに対して、加圧トレーニングは体内循環を変化させる事が目的であり、筋肉の損傷は少ないので、回復にかかる時間が大幅に短縮されるため、短期間でも効果が出易くなる。また、低負荷を加えると、人間の身体は軽い運動でも「激しい運動をしている」と錯覚し、脂肪燃焼を盛んに促すようになるということも知られているようである。
【０００７】
従って、本願のように睡眠中にサポーターを装着させて利用する発想は従来にはなく、且つ、心地良い温かさでふくらはぎを直接温めると共に小さな負荷を睡眠中に掛け、血流を制御し、サポーターの圧迫が筋肉量をアップするだけでなく、脂肪の燃焼が促進されてダイエット効果と瘠身効果を睡眠中に得ようとする発想もなかった。
【先行技術文献】
【特許文献】
【０００８】
【特許文献１】特開平９−５６７４４号公報
【発明の概要】
【発明が解決しようとする課題】
【０００９】
本発明は睡眠中に装着させても、足に負担を殆ど掛けずに血液やリンパの流れを活性化させ、一日の疲れを癒し、快適な朝を迎えられると共に健康状態が整えられるふくらはぎ用発熱性サポーター提供することを目的とする。
【課題を解決するための手段】
【００１０】
本発明は上記現状に鑑みて成されたものであり、つまり、両端が開口する筒体に形成したサポーター本体の一端部の直径を、ふくらはぎ上部が適宜に締付けられる程度の大きさとすると共に、他端部の直径を、ふくらはぎ下部が適宜に締付けられる程度の大きさとし、且つ、サポーター本体が吸湿発熱性化学繊維の布地によって縫製されたものと成す。またサポーター本体の長手方向に沿って一定幅の布をかがり縫いして一体に縫製したものとしても良い。尚、本発明で言う「吸湿発熱性化学繊維」とは少なくとも、ポリエステル，アクリル，ナイロン，レーヨンなどの化学繊維であると共に、湿気を吸って熱を出す機能繊維を指すものとする。
【発明の効果】
【００１１】
請求項１のように両端が開口する筒体に形成したサポーター本体（１）の一端部（11）の直径を、ふくらはぎ上部が適宜に締付けられる程度の大きさとすると共に、他端部（12）の直径を、ふくらはぎ下部が適宜に締付けられる程度の大きさとし、且つ、サポーター本体（１）が吸湿発熱性化学繊維の布地によって縫製されることにより、これをふくらはぎに装着させて寝ると、心地良い温かさでふくらはぎが直接温められると共に小さな負荷が掛けられるため、足に負担を殆ど掛けずに血液やリンパの流れを活性化させ、一日の疲れを癒し、快適な朝を迎えるリカバリー効果が得られて、健康状態が整えられるものとなる。更にサポーター本体（１）の圧迫が筋肉量をアップするだけでなく、脂肪の燃焼が促進されてダイエット効果と瘠身効果を得ることが期待できるものとなる。又、サポーター本体（１）を夏場に装着して寝ても、汗や湿気を吸収して肌表面がサラサラ状態となるため、蒸れや汗ばむ恐れが殆どなく、快適に装着したまま寝ることができるものとなる。特に睡眠中に足のつっぱりや筋肉が痙攣する症状が従来生じていた人が使用すれば、従来の如き温湿布を使用しなくても上記症状が殆ど生じないものとなる。
【００１２】
請求項２のようにサポーター本体（１）の長手方向に沿って一定幅の布（２）をかがり縫いして一体に縫製することにより、ふくらはぎに均一な小さな負荷が加わると共に一層密着し易いものとなる。
【図面の簡単な説明】
【００１３】
【図１】本発明の実施形態を示す説明図である。
【図２】本発明の他の実施形態を示す説明図である。
【図３】本発明の使用状態を示す説明図である。
【発明を実施するための形態】
【００１４】
本発明の実施形態を図面に基づいて説明する。（１)は両端が開口する筒体に形成したサポーター本体であり、該サポーター本体（１）の一端部（11）の直径を、ふくらはぎ上部が適宜に締付けられる程度の大きさとすると共に、他端部（12）の直径を、ふくらはぎ下部が適宜に締付けられる程度の大きさとし、且つ、サポーター本体（１）を吸湿発熱性化学繊維で且つ弾性を有した布地によって縫製させている。また前記一端部（11）と他端部（12）は解れないように複数本の縫い目を施している。
【００１５】
（２）はサポーター本体（１）の長手方向に沿って、その両側をかがり縫いして一体に縫製した一定幅の布である（図２参照）。前記サポーター本体（１）と布（２）は、弾性を有した布地が使用される。尚、前記かがり縫いは、布端のほつれ止めのために縫われるものである。
【００１６】
又、前記吸湿発熱性化学繊維は、湿気を吸って熱を出し、心地良い温度が確保されるものである。前記吸湿発熱性化学繊維やその布地としては、例えば、東洋紡ＡＰ事業部製のモイスケア（登録商標名）や、ユニクロ製のヒートテック（登録商標名）と同質材料などを用いるのが好ましく、更に肌に心地良く、肌や空気中の水蒸気を吸湿し、素材が発熱し、熱を逃がしにくい構造をもつ東レ製の「ウォームサーバ繊維」を編み込んだ布を用いても良い。尚、前記サポーター本体（１）は、通気性や吸湿発熱機能を有した不織布を用いても良い。
【００１７】
次に本発明の作用について説明する。先ず始めに図１に示すサポーター本体（１）をふくらはぎに装着して寝ると、サポーター本体（１）がふくらはぎに接触してその肌の湿気を吸収し、そこに熱を生じるので、その熱によってふくらはぎとその周辺を温めると共にふくらはぎには常時小さな負荷が加わるため、ふくらはぎとその周辺の血行を促進させ、サポーター本体（１）の圧迫によって筋肉量をアップさせるだけでなく、脂肪の燃焼を促進させるものとなるのである。またサポーター本体（１）の熱で脂肪が燃焼されて、ふくらはぎがスリムになると共に体温を保持して血行を促進し、痛みを和らげ、回復を助けるものとなり、且つ、足のつりを予防するものとなる。しかも吸湿発熱性化学繊維によって編み込まれた布地は吸放湿性に優れ、湿気や汗を熱に変える素材であるため、ふくらはぎとその周辺の肌は表面がサラサラ状態となり、夏場にサポーター本体（１）を装着しても心地良いものとなる。尚、本発明品は睡眠中の装着だけでなく、起きている時に装着して使用しても良い。
【符号の説明】
【００１８】
１  サポーター本体
11  一端部
12  他端部
２  布
【図１】
2014051751.tif 000003
【図２】
2014051751.tif 000004
【図３】
2014051751.tif 000005